(57)【要約】      （修正有）【課題】一方のアンテナ・コイルが駆動され、他方が駆動されていない場合、互いに影響を及ぼす可能性をなくしたアクセス規制システムを提供する。【解決手段】２つのアンテナ・コイルを進入路において一方を他方の後方に配置し、読み取り装置（２０）へと接続されるとともに、発振回路（３０、３１）を形成している。入り口方向の第１のアンテナ・コイル（１２、１３）を含む一方の発振回路（３０、３１）、又は第２のアンテナ・コイルを含む他方の発振回路のいずれかが、ユーザによって保持されたトランスポンダ・コイルを有しているトランスポンダから、アクセス許可の目的のためのデータを読み出すために、読み取り装置（２０）によって駆動される。読み取り装置（２０）による駆動が行われていない発振回路（３０、３１）は、デチューンまたは短絡させられる。【選択図】図６
2008041096.tif 000002
【特許請求の範囲】
【請求項１】
少なくとも２つのアンテナ・コイル（１２、１３および１４、１５）を進入路（４）において一方を他方の後方に配置して備えており、前記アンテナ・コイルが、読み取り装置（２０）へと接続されるとともに、コンデンサ（３９、４１）と一緒に発振回路（３０、３１）を形成しており、
ユーザによって保持され、アンテナ・コイル（１２〜１５）と結合できるトランスポンダ・コイル（２４）を有しているトランスポンダ（２２）から、アクセス許可の目的のためのデータを読み出すために、読み取り装置（２０）によって、一方の発振回路（３０、３１）が入り口方向（５）の第１のアンテナ・コイル（１２、１３）とともに駆動されるか、あるいは他方の発振回路が第２のアンテナ・コイル（１４、１５）とともに駆動されるアクセス規制システムであって、
駆動されていない発振回路（３０、３１）が、デチューン用または短絡用の電子機器（５２、５３）の助けによってデチューンまたは短絡させられ、デチューン用または短絡用の電子機器（５２、５３）のための電源およびスイッチ信号として、読み取り装置の電源から引き出される低電圧のＤＣ電圧が使用され、読み取り装置（２０）をアンテナ・コイル（１２〜１５）を備える発振回路（３０、３１）へと接続しているケーブル（１６〜１９）が、同時に、デチューン用または短絡用の電子機器（５２、５３）のための電源およびスイッチ信号の伝達のためにも設けられていることを特徴とするアクセス規制システム。
【請求項２】
基本の位置においては入り口（４）を開放しており、アクセス許可の無効の読み取りおよび対人センサ（２３）による人物の検出の場合にのみ阻止を行う阻止システムが設けられており、
阻止部材を、第１のアンテナ・コイル（１２、１３）または第２のアンテナ・コイル（１４、１５）にて行われるアクセス許可の有効または無効の読み取りに応じて、読み取り装置（２０）によって動かすことができることを特徴とする請求項１に記載のアクセス規制システム。
【請求項３】
第１および／または第２のアンテナ・コイル（１２、１４）に対向して、進入路（４）の反対側に、第２の発振回路を形成するアンテナ・コイル（１３、１５）が設けられ、
互いに対向するアンテナ・コイル（１２、１３および１４、１５）が、アンテナ・コイル対を形成しており、各対のアンテナ・コイル（１２、１３または１４、１５）が、読み取り装置（２０）によって同時に、しかしながら交互に同位相および逆位相の動作モードで駆動され、ユーザの保持するトランスポンダ（２２）を読み出すために、トランスポンダ（２２）を検出した一方の動作モードが、読み出しのやりとりが完了するまで維持されることを特徴とする請求項１または２に記載のアクセス規制システム。
【請求項４】
デチューン用または短絡用の電子機器（５２、５３）が、少なくとも１つのダイオード・スイッチを有していることを特徴とする請求項１に記載のアクセス規制システム。
【請求項５】
デチューン用または短絡用の電子機器の前方に、発振回路（３０、３１）の交流電圧を切り離すための切り離しユニットが配置されていることを特徴とする請求項１に記載のアクセス規制システム。
【請求項６】
切り離しユニットが、コイル（５４、５５）によって形成されていることを特徴とする請求項５に記載のアクセス規制システム。
【請求項７】
発振回路（３０、３１）のデチューン用または短絡用の電子機器（５２、５３）を動作させるために、スイッチ（５８）が使用されることを特徴とする請求項１に記載のアクセス規制システム。
【発明の詳細な説明】
【技術分野】
【０００１】
本発明は、請求項１の前置き部分に記載のアクセス規制システムに関する。
【背景技術】
【０００２】
そのような装置は、独国特許第DE 10 2004 013 965 B3号明細書から知られている。そこでは、回転バーまたは同様の阻止部材が、基本の位置においてはアクセスを許しており、アクセス許可が無効であるとの読み取りであり、かつ対人センサによって何者かが検出された場合にのみ、アクセスを阻止する。阻止部材が、有効なアクセス許可を持たない被検出者が阻止部材へと到達するよりも前に阻止位置をとることができるために、阻止部材までの距離がより大きい第１のアンテナ・コイルと、阻止部材までの距離がより小さい第２のアンテナ・コイルとが、進入路の少なくとも片側に設けられている。これにより、有効なアクセス許可を持たない者が、有効なアクセス許可を持つ後続の第２の者によってアクセスが開放されるまで阻止部材の前で待機して、阻止部材を通過してしまうことが、できないようにしている。
【０００３】
しかしながら、進入路の片側において一方が他方の後方に配置されているアンテナ・コイルの間隔は、小さい。この結果として、アンテナ・コイルの誘導結合が存在し、すなわちトランスポンダの読み取りを不可能にしかねない相互の妨害が存在する。
【特許文献１】独国特許第DE 10 2004 013 965 B3号明細書
【発明の開示】
【発明が解決しようとする課題】
【０００４】
したがって、本発明の課題は、そのような妨害を簡単なやり方で取り除くことにある。
【課題を解決するための手段】
【０００５】
これは、本発明に従って、請求項１に特徴付けられるアクセス規制システムによって達成される。本発明の好都合な実施の形態が、従属請求項に記載されている。
【発明の効果】
【０００６】
すなわち、本発明によれば、それぞれの発振回路をデチューン（detune：周波数をずらす）または短絡させることができる。これにより、進入路の片側において進入の方向に一方が他方の後方となるように短い間隔で配置されている２つのアンテナ・コイルが、一方のアンテナ・コイルがトランスポンダからデータを読み出すべく読み取り装置によって駆動され、他方のアンテナ・コイルが駆動されていない場合に、互いに影響を及ぼす可能性がなくなる。
【０００７】
本発明は、とくには、独国特許第DE 10 2004 013 965B3号によるアクセス規制装置に適している。すなわち、進入路に阻止システムが設けられており、阻止システムが、「ゲート開放」の基本位置においては入り口を開放しており、アクセス許可の無効の読み取りおよび対人センサによる人物の検出時にのみ入り口を閉鎖するアクセス規制装置に適している。ここで、阻止システムは、一方が他方の後方に配置された２つのアンテナ・コイルのうちの第１または第２のいずれかのアンテナ・コイルによって行われるアクセス許可の有効または無効の読み取りに応じて、読み取り装置によって駆動される。阻止システムは、例えば閉鎖時に赤色へと変化し、開放時に緑色へと変化する交通信号を有することができ、あるいは回転バーまたは同様の阻止部材を有することができる。
【発明を実施するための最良の形態】
【０００８】
好ましくは、進入路の片側に位置する第１および第２のアンテナ・コイルに、進入路の反対側のアンテナ・コイルが組み合わせられる。互いに対向するアンテナ・コイルが、アンテナ・コイル対を形成している。読み取りの信頼性を高めるために、読み取り装置がそれぞれのアンテナ・コイル対を駆動し、すなわち入り口方向の第１のアンテナ・コイル対または第２のアンテナ・コイル対のいずれかを同時に、しかしながら交互に同位相または逆位相の動作モードで駆動する。
【０００９】
それぞれのアンテナ・コイルによって生成される高周波の磁界が、トランスポンダ・コイルの内側を通過する。周波数は、例えば１３５キロヘルツ未満または１３．５６メガヘルツであってよい。トランスポンダ・コイルにおける誘導によって電圧が生成され、トランスポンダのデータ記憶媒体（マイクロチップ）および読み取り装置とトランスポンダとのあいだのデータの伝達の電源は、この電圧にもとづく。
【００１０】
該当の対の２つのアンテナ・コイルが、読み取り装置によって同位相で駆動される場合、２つのアンテナ・コイルのそれぞれの磁界が重ね合わせられることで、進入路を横方向に横断して延びる磁力線がもたらされる。したがって、トランスポンダのコイルの面が進入方向に広がっており、すなわちアンテナ・コイルと平行に広がっていると、トランスポンダ・コイルの内側を通過する磁力線の数が最大になり、結果として読み取りの信頼性が最大になる。
【００１１】
同位相の動作モードと対照的に、逆位相の動作モードにある２つのアンテナ・コイルのそれぞれの磁界の重ね合わせは、とくには２つのアンテナ・コイルの間の進入路の中央を進入路と平行に延びる磁力線をもたらさす。したがって、トランスポンダ・コイルのコイルの面が進入方向に対して直角に対して配置される場合に、トランスポンダ・コイルの内側が最大数の磁力線によって貫かれ、したがって最大の読み取り信頼性が達成される。
【００１２】
その後、進入路においてトランスポンダを検出した一方の動作モードが、読み取りのやりとりが完了するまで維持される。
【００１３】
一方が他方の後方に配置されているアンテナ・コイルまたはアンテナ・コイル対を本発明に従ってデチューンまたは短絡させることによって、非動作のアンテナ、すなわちデータ交換のための読み取り装置による駆動が行われていないアンテナが、そのときに動作しているアンテナによって生成される磁界の進路に影響を及ぼすことがない。
【００１４】
トランスポンダからのデータ読み出しのための読み取り装置による駆動が行われていない該当の発振回路をデチューンまたは短絡させるために、それぞれの発振回路に、デチューン用または短絡用の電子機器が設けられる。この目的のため、それぞれのデチューン用または短絡用の電子機器ユニットは、好ましくはダイオード・スイッチである少なくとも１つのスイッチを有しており、低電圧のＤＣ電圧、すなわち４２Ｖ未満であって、とくには約５ＶであるＤＣ電圧が、そのようなダイオード・スイッチに電力を供給するために使用される。このスイッチングの電圧が、スイッチ信号のためにも使用される。
【００１５】
これにより、読み取り装置をそれぞれのアンテナ・コイルを備えている発振回路に接続している高周波ケーブルを、同時に、電源およびスイッチ信号の伝達のためにも使用することができる。これにより、デチューン用または短絡用の電子機器を動作させるために、追加のケーブルを配置する必要がなく、これはとくには前方および後方のアンテナ・コイル対が使用され、すなわちデチューンまたは短絡させなければならない発振回路が４つ設けられる場合に、重要な利点である。
【００１６】
２つ以上のアクセス・バリアが設けられる場合、アクセス・バリアは、好ましくは、並列または非同期の様相で動作させられる。これにより、バリア間のマルチプレクサがもはや不要になり、これはかなりの時間の節約を意味する。
【００１７】
本発明によるアクセス規制システムは、例えば、スキーのリフトまたは同様の輸送システムに適している。例えば建物、スタジアム、公共の水泳プール、および同様の施設など、他の用途にも使用できることは明らかである。
【実施例１】
【００１８】
以下において、添付の図面を参照しつつあくまで例として本発明をさらに詳しく説明する。
【００１９】
図１によれば、アクセス規制装置が、矢印５の方向に通過する進入路４を妨げるための阻止部材１として、２つのバリア・アーム２、３を備える回転星状体（turning star）を有している。阻止部材１は、水平線に対して傾けられている軸６を中心として回転可能である。２つのバリア・アーム２、３のそれぞれは、回転の軸６と約４５°の角度を囲んでおり、互いには約１２０°の角度を囲んでいる。図１は、バリア・アーム２、３を「ゲート開放」の基本位置に示しており、この位置において、バリア・アーム２、３は、入り口４を開放している。阻止部材１を矢印７に従って回転させることで、バリア・アーム２が、図１に破線で示されている位置２’へと回転させられ、入り口５が閉鎖される。２つのバリア・アーム２、３の代わりに、回転軸６と約４５°の角度を囲んでおり、阻止位置２’へと回転させることができるただ１つのバリア・アームを設けてもよい。このバリア・アームを、常に通過の方向に回転させる（閉鎖‐開放）ことができ、あるいは２方向に動かすことができる。
【００２０】
図１および２によれば、ハウジング８、９、１０、１１のそれぞれに、アンテナ・コイル１２、１３、１４、または１５がそれぞれ配置されている。進入路４の両側に配置されたアンテナ・コイル１２および１３が、第１のアンテナ・コイル対を形成しており、アンテナ・コイル１４および１５が、第２のアンテナ・コイル対を形成している。アンテナ・コイル１２〜１５は、ＨＦケーブル１６、１７、１８、１９を介して統合読み取り装置２０へと接続されている（図２）。しかしながら、アンテナ・コイル対１２および１３またはアンテナ・コイル対１４および１５が、それぞれ読み取り装置を有してもよい。
【００２１】
読み取り装置２０が、阻止部材１を動作させる。進入の方向５にある第１のアンテナ・コイル対１２、１３によって、入り口４を通過するユーザが保持しているトランスポンダ２２のマイクロチップ２１（図５）に保存されているアクセス許可が読み取られる。
【００２２】
第１のアンテナ・コイル対１２、１３によって有効なアクセス許可が読み取られた場合、阻止部材１は開放位置のままであり、すなわち進入路４の傍らのバリア・アーム２および３が下方を向いている。一方、アクセス許可が無効であると読み取られた者が第１のアンテナ・コイル対１２、１３を通過し、同時に対人センサ２３（例えば、光バリア）・・・場合、バリア・アーム２が、図１に破線によって示されている阻止位置２’へと回転させられる。その後に、バリア・アーム２’の前に立つユーザが、有効なアクセス許可を有する第２のユーザが後続するときに阻止部材１を通過してしまうことがないよう、有効な読み取りなくして対人センサ２３が何者かを検出した後に、第１のアンテナ・コイル対１２、１３が無効にされ、第２のアンテナ・コイル対１４、１５が、動作状態へと切り替えられる。
【００２３】
このとき、後続の者のアクセス許可は検出されない。代わりに、バリア・アーム２’の前に立つ者のアクセス許可について、第２のチェックがアンテナ・コイル対１４、１５によって行われる。アンテナ・コイル対１４、１５によって実行される第２のチェックの助けによって有効なアクセス許可が検出された場合、アンテナ・コイル対１２、１３が、動作状態となるように切り替えられ、アンテナ・コイル対１４、１５が、非動作となるように切り替えられ、阻止部材１が、再び開放位置へと回転させられる。
【００２４】
図５によれば、ＲＦＩＤトランスポンダ２２が、実質的に、データ記憶媒体としてマイクロチップ２１を備えるアンテナ・コイルまたはトランスポンダ・コイル２４で構成されている。
【００２５】
動作状態へと切り替えられているアンテナ・コイル対１２および１３または１４および１５が、読み取り装置２０によって高周波の磁界を生成する。ここで、アンテナ・コイル対１２および１３またはアンテナ・コイル対１４および１５、それぞれとトランスポンダ２２との間の誘導結合が強いほど、より多くの磁力線が、トランスポンダ・コイル２４の内側２５を通過する。
【００２６】
動作状態へと切り替えられているアンテナ・コイル対１２および１３について図３に示されているように、読み取り装置２０によって２つのアンテナ・コイル１２、１３が同位相で駆動されると、進入路４の両側のアンテナ・コイル１２、１３のそれぞれの磁界が重ね合わせられ、進入路４に対して実質的に直角に延びる磁力線２６となる。
【００２７】
すなわち、トランスポンダ２２、したがってトランスポンダ・コイル２４が、図３に示されているように進入路５に平行かつアンテナ・コイル１２、１３と平行に配置されるとき、最大数の磁力線２６がトランスポンダ２４の内側を通過し、したがってトランスポンダ２２の電力消費、すなわち読み取りの信頼性が、最大値を達成する。
【００２８】
一方で、図３による磁力線の経路２６においては、トランスポンダ・コイル２４が進入方向に対して直角に配置される場合、すなわちアンテナ・コイル１２、１３に直角に配置される場合に、トランスポンダ・コイル２４を通過する磁力線２６がなくなり、あるいはなくならないまでもきわめてわずかになるため、電力の消費、すなわち読み取りの信頼性が極小となる。
【００２９】
同位相の動作モードと対照的に、図４による逆位相の動作モードにおいては、２つのアンテナ・コイル１２、１３のそれぞれの磁界の重ね合わせによって、とくに２つのアンテナ・コイル１２および１３の間の進入路４の中央を進入路４により平行に延びる磁力線２７がもたらされる。したがって、トランスポンダ・コイル２４が進入方向５に対して直角に配置される場合、すなわちアンテナ・コイル１２、１３に平行に配置される場合に、最大数の磁力線２７がトランスポンダ・コイル２４の内側２５を通過し、その結果、読み取りの信頼性が最大値に達する。
【００３０】
したがって、本発明によれば、２つのアンテナ・コイル１２、１３が、読み取り装置２０によって同時に、しかしながら交互に同位相または逆位相で駆動される。
【００３１】
図６に示した回路構成においては、図１および２の第１の２つのアンテナ・コイル１２および１３のための２つの並列な発振回路３０、３１のみが、ダイオード・スイッチ３３の一方の極３２へと接続されて示されているが、ダイオード・スイッチ３３の他方の極３４には、図１および２による第２の２つのアンテナ・コイル１４および１５を備える並列回路（図示せず）が接続される。スイッチ３３の極３４へと接続される２つのアンテナ・コイル１４および１５の発振回路の回路は、図６に示されているとおりスイッチ３３の極３２へと接続されている２つの並列な発振回路３０、３１と同じやり方で構成される。
【００３２】
図６によれば、読み取り装置２０の送受信用電子機器２９とスイッチ３３との間に、駆動部３６が設けられている。スイッチ３３の極３２が、コンデンサ３８を介して、アンテナ・コイル１２（インダクタンス）の並列発振回路３０および並列なスイッチド・キャパシタ３９（キャパシタンス）に接続されている。対照的に、アンテナ・コイル１３とコンデンサ４１とで構成されている第２の並列発振回路３１のコンデンサ４０は、１８０°の位相スイッチ４４を介してスイッチ３３の極３２へと接続可能である。
【００３３】
位相スイッチ４４は、ダイオード・スイッチ４５で構成され、その一方の極４６が並列発振回路３１に直接接続される一方で、他方の極４７は、１８０°の位相反転のための２つのコイルを有しているトランス（図示せず）を介して、並列発振回路３１へとつながっている。ダイオード・スイッチ４５を切り替えることで、２つの発振回路３０、３１の同位相の動作モードを、逆位相の動作モードへと切り替えることができる。
【００３４】
アクセス規制装置の動作時、ダイオード・スイッチ４５が、破線によって示されている制御線５１を介して送受信用電子機器２９によって駆動されて、極４６、４７の間を恒久的に往復切り替えされる。送受信用電子機器２９がトランスポンダ２２を検出すると、トランスポンダ２２が検出されたときの動作モードが、読み取りのやりとりが完了するまで維持され、すなわち送受信用電子機器２９とトランスポンダ２２との間のデータ交換が完了するまで維持される。
【００３５】
すなわち、図３に従って、トランスポンダ２２が例えば横ポケットに保持されており、したがってトランスポンダ・コイル２４が進入の方向５に整列しており、すなわちアンテナ・コイル１２、１３と平行であるときは、結果としてトランスポンダ２２が、同位相の動作モードにおいて検出され、すなわちダイオード・スイッチ４５が極４６へと接続されているときに検出され、この動作モードが読み取りのやりとりが完了するまで維持される。一方で、図４に従って、トランスポンダ・コイル２４を備えるトランスポンダ２２が例えば胸ポケットに保持されている場合には、結果としてトランスポンダ２２が、逆位相の動作モードにおいて検出され、すなわちダイオード・スイッチ４５が極４７へと接続されている状態で検出され、逆位相の動作モードがデータ交換のあいだ維持される。やりとりの終了後、制御線５１を介して、ダイオード・スイッチ４５の往復切り替えが続けられる。
【００３６】
一方のアンテナ・コイル対１２、１３または１４、１５が、トランスポンダ２２からデータを読み出すべく読み取り装置２０の送受信用電子機器２９によって駆動される一方で、他方のアンテナ・コイル対１４、１５または１２、１３が非動作とされ、すなわちトランスポンダ２２からデータを読み取るための駆動が行われていないとき、例えば１メートルの半分未満といった短い間隔で一方が他方の後方に配置されているアンテナ・コイル１２、１３および１４、１５が、進入路４の一方または他方の側において誘導結合によって互いに影響を及ぼすことがないよう、本発明によれば、非動作の発振回路がデチューンされ、あるいは短絡させられる。
【００３７】
この目的のために、図６に示されているように、第１のアンテナ対、すなわち入り口方向５の前側のアンテナ対１２、１３のための２つの発振回路３０、３１に関して、それぞれの発振回路３０、３１に、デチューン用または短絡用の電子機器５２、５３が設けられている。デチューン用または短絡用の電子機器５２、５３は、この目的のために、好ましくはダイオード・スイッチ（図示せず）を有している。デチューン用または短絡用の電子機器５２、５３には、例えば５Ｖの低電圧のＤＣ電圧によって電気が供給され、これが同時に、デチューン用または短絡用の電子機器５２、５３のダイオード・スイッチのためのスイッチ信号を供給している。
【００３８】
デチューン用または短絡用の電子機器５２、５３を発振回路３０、３１の高周波の交流電圧から切り離すために、コンデンサ３８、３９に先立って発振回路３０、３１の入り口の手前に接続され、かつデチューン用または短絡用の電子機器５２、５３へと接続されている線５６、５７に、コイル５４、５５が設けられている。
【００３９】
２つの発振回路３０、３１のデチューン用または短絡用の電子機器５２、５３を動作させるために、例えば電子スイッチ５８が、送受信用電子機器２９に電力を供給するための５ＶのＤＣ電圧へと接続されて設けられている。
【００４０】
これにより、デチューン用または短絡用の電子機器へと供給されてこれを動作させるＤＣ電圧を、発振回路３０、３１のデチューン用または短絡用の電子機器５２、５３において、駆動部３６を発振回路３０、３１に接続している同じ高周波ケーブル１６、１７によって供給することができる。
【００４１】
スイッチ５８が、制御線６５を介して送受信用電子機器２９によって駆動される一方で、読み出し装置を他方の２つのアンテナ・コイル１４、１５へと接続しているスイッチ３３が、制御線６６を介して送受信用電子機器２９によって駆動される。アンテナ・コイル１４、１５を備える発振回路（図示せず）にも、線５６、５７のコイル５４、５５を含む発振回路３０、３１と同じデチューン用または短絡用の電子機器が設けられる。
【００４２】
図６に破線で示されている読み取り装置２０は、すべての構成部品が配置されて収容される回路基板によって形成することができる。
【００４３】
図面においては、進入路４の両側において互いに対向して位置する２つのアンテナ１２〜１５のために、ただ１つの読み取り装置２０が示されているが、それぞれのアンテナ・コイル対１２および１３または１４および１５について読み取り装置が設けられてもよい。
【図面の簡単な説明】
【００４４】
【図１】「ゲート開放」動作のアクセス規制システムを有する進入路の斜視図を示しているが、回転式の阻止装置に隣接するアンテナ・コイル対の１つのアンテナ・コイルは省略されている。
【図２】図１による進入路の概略の平面図を示しているが、回転式の阻止装置は省略されている。
【図３】図１による装置の２つの対向するアンテナ・コイルの断面を、同位相または逆位相の動作モードにおける磁力線の経路とともに示している。
【図４】図２による装置の２つの対向するアンテナ・コイルの断面を、同位相または逆位相の動作モードにおける磁力線の経路とともに示している。
【図５】トランスポンダ・コイルの平面図を示している。
【図６】本発明によるアクセス規制システムのための回路構成の一実施の形態を示している。
【符号の説明】
【００４５】
１     阻止部材
２     バリア・アーム
４     進入路
５     進入方向
６     回転軸
７     矢印
８     ハウジング
１２   アンテナ・コイル対
１３   アンテナ・コイル
１４   アンテナ・コイル対
１６   ケーブル
２０   装置
２１   マイクロチップ
２２   トランスポンダ
２３   対人センサ
２４   トランスポンダ
２４   トランスポンダ・コイル
２５   内側
２６   磁力線
２７   磁力線
２９   送受信用電子機器
３０   並列発振回路
３１   並列発振回路
３２   極
３３   ダイオード・スイッチ
３４   極
３５   制御線
３６   駆動部
３８   コンデンサ
３９   スイッチド・キャパシタ
４０   コンデンサ
４１   コンデンサ
４４   位相スイッチ
４５   ダイオード・スイッチ
４６   極
４７   極
４８   トランス
４９   コイル
５１   制御線
５２   電子機器
５４   コイル
５６   線
５７   線
５８   電子スイッチ
６５   制御線
６６   制御線
【図１】
2008041096.tif 000003
【図２】
2008041096.tif 000004
【図３】
2008041096.tif 000005
【図４】
2008041096.tif 000006
【図５】
2008041096.tif 000007
【図６】
2008041096.tif 000008